(57)【特許請求の範囲】
【請求項１】
ローカルエリアネットワークまたはインターネットを介し、ローカルエリアネットワークまたはインターネットに接続されているＷＷＷサーバとの間でデータのやりとりを行う機能および公衆網を介してファクシミリ装置との間でファクシミリ伝送手順によるファクシミリデータのやりとりを行う機能を備えたインターネットファクシミリ装置と、公衆網を伝送路として用いるファクシミリ装置からなる通信システムにおいて、
上記ファクシミリ装置は、インターネットファクシミリ装置に対して、指定されたＵＲＬを通知し、
上記インターネットファクシミリ装置は、公衆網を介して上記ファクシミリ装置よりＵＲＬが通知されると、ローカルエリアネットワークまたはインターネットを介し、ＷＷＷサーバに対して、上記通知されたＵＲＬのファイルを要求し、そのＵＲＬのファイルを受信すると、その受信ファイルの表示画像を形成して、その表示画像を第１のファクシミリ画情報に変換するとともに、その受信ファイルに含まれているリンク情報の一覧表示情報を形成して、その一覧表示情報を第２のファクシミリ画情報に変換し、ＵＲＬの送信元の上記ファクシミリ装置に対し、公衆網を介して上記第１および第２のファクシミリ画情報を送信し、
上記ファクシミリ装置は、上記インターネットファクシミリ装置より上記第１および第２のファクシミリ画情報を受信すると、それらの第１および第２のファクシミリ画情報の画像を記録出力することを特徴とする通信システム。
【請求項２】
ローカルエリアネットワークまたはインターネットを介し、ローカルエリアネットワークまたはインターネットに接続されているＷＷＷサーバとの間でデータのやりとりを行う機能および公衆網を介してファクシミリ装置との間でファクシミリ伝送手順によるファクシミリデータのやりとりを行う機能を備えたインターネットファクシミリ装置と、公衆網を伝送路として用いるファクシミリ装置からなる通信システムにおいて、
上記ファクシミリ装置は、インターネット上のＵＲＬを指定するための複数のワンタッチキーと、受信した画情報に対応した画像データに含まれている図形文字を認識する光学的文字読取手段を備え、
上記ファクシミリ装置は、上記インターネットファクシミリ装置に対して、指定されたＵＲＬを通知し、
上記インターネットファクシミリ装置は、公衆網を介して上記ファクシミリ装置よりＵＲＬが通知されると、ローカルエリアネットワークまたはインターネットを介し、ＷＷＷサーバに対して上記通知されたＵＲＬのファイルを要求し、そのＵＲＬのファイルを受信すると、その受信ファイルの表示画像を形成して、その表示画像を第１のファクシミリ画情報に変換するとともに、その受信ファイルに含まれているリンク情報とそのリンク情報に割り当てる上記ワンタッチキーの種別をあらわす一覧表示情報を形成して、その一覧表示情報を第２のファクシミリ画情報に変換し、ＵＲＬの送信元の上記ファクシミリ装置に対し、公衆網を介して上記第１および第２のファクシミリ画情報を送信し、
上記ファクシミリ装置は、上記インターネットファクシミリ装置より上記第１および第２のファクシミリ画情報を受信すると、それらの第１および第２のファクシミリ画情報の画像を記録出力するとともに、受信した上記第２のファクシミリ画情報の画像データを上記光学的文字読取手段によって処理してその画像データに含まれている図形文字を認識し、その図形文字の認識結果に基づいて上記一覧表示情報を形成し、その形成した一覧表示情報に基づいて上記複数のワンタッチキーに対するＵＲＬの割当を行うことを特徴とする通信システム。
【請求項３】
ローカルエリアネットワークまたはインターネットを介し、ローカルエリアネットワークまたはインターネットに接続されているＷＷＷサーバとの間でデータのやりとりを行う機能および公衆網を介してファクシミリ装置との間でファクシミリ伝送手順によるファクシミリデータのやりとりを行う機能を備えたインターネットファクシミリ装置と、公衆網を伝送路として用いるファクシミリ装置からなる通信システムにおいて、
上記ファクシミリ装置は、インターネット上のＵＲＬを指定するための複数のワンタッチキーと、受信した画情報に対応した画像データに含まれている図形文字を認識する光学的文字読取手段を備え、
上記ファクシミリ装置は、上記インターネットファクシミリ装置に対して、指定されたＵＲＬを通知し、
上記インターネットファクシミリ装置は、公衆網を介して上記ファクシミリ装置よりＵＲＬが通知されると、ローカルエリアネットワークまたはインターネットを介し、ＷＷＷサーバに対して上記通知されたＵＲＬのファイルを要求し、そのＵＲＬのファイルを受信すると、その受信ファイルの表示画像を形成して、その表示画像をファクシミリ画情報に変換するとともに、その受信ファイルに含まれているリンク情報とそのリンク情報に割り当てる上記ワンタッチキーの種別をあらわす一覧表示情報を形成し、ＵＲＬの送信元の上記ファクシミリ装置に対し、公衆網を介して上記ファクシミリ画情報を送信するとともに、上記一覧表示情報をテキストモードで送信し、
上記ファクシミリ装置は、上記インターネットファクシミリ装置より上記ファクシミリ画情報および一覧表示情報を受信すると、そのファクシミリ画情報の画像および一覧表示情報の表示画像を記録出力するとともに、受信した一覧表示情報に基づいて上記複数のワンタッチキーに対するＵＲＬの割当を行うことを特徴とする通信システム。
【請求項４】
ローカルエリアネットワークまたはインターネットを介し、ローカルエリアネットワークまたはインターネットに接続されているＷＷＷサーバとの間でデータのやりとりを行う機能および公衆網を介してファクシミリ装置との間でファクシミリ伝送手順によるファクシミリデータのやりとりを行う機能を備えたインターネットファクシミリ装置において、
公衆網を介していずれかのファクシミリ装置よりＵＲＬが通知されると、ローカルエリアネットワークまたはインターネットを介し、ＷＷＷサーバに対して、上記通知されたＵＲＬのファイルを要求し、そのＵＲＬのファイルを受信すると、その受信ファイルの表示画像を形成して、その表示画像を第１のファクシミリ画情報に変換するとともに、その受信ファイルに含まれているリンク情報の一覧表示情報を形成して、その一覧表示情報を第２のファクシミリ画情報に変換し、ＵＲＬの送信元の上記ファクシミリ装置に対し、公衆網を介して上記第１および第２のファクシミリ画情報を送信する通信制御手段を備えたことを特徴とするインターネットファクシミリ装置。
【発明の詳細な説明】
【０００１】
【発明の属する技術分野】
本発明は、ローカルエリアネットワークまたはインターネットを介し、ローカルエリアネットワークまたはインターネットに接続されているＷＷＷサーバとの間でデータのやりとりを行う機能および公衆網を介してファクシミリ装置との間でファクシミリ伝送手順によるファクシミリデータのやりとりを行う機能を備えたインターネットファクシミリ装置と、公衆網を伝送路として用いるファクシミリ装置からなる通信システム、および、ローカルエリアネットワークまたはインターネットを介し、ローカルエリアネットワークまたはインターネットに接続されているＷＷＷサーバとの間でデータのやりとりを行う機能および公衆網を介してファクシミリ装置との間でファクシミリ伝送手順によるファクシミリデータのやりとりを行う機能を備えたインターネットファクシミリ装置に関する。
【０００２】
【従来の技術】
従来、いわゆるインターネットの利用形態は、ファイル共有や、電子掲示板、または、ネットニュースなどのメッセージ交換が主なものであったが、近年では、ハイパーテキストを用いた多彩な情報交換が可能なＷＷＷ（Ｗｏｒｌｄ  Ｗｉｄｅ  Ｗｅｂ）が適用されることで、より自由度が高いメッセージ交換がされるようになってきている。
【０００３】
ＷＷＷは、スイスのヨーロッパ素粒子物理学研究所（ＣＥＲＮ）で開発された広域情報システムであり、サーバ／クライアント型のシステムで構成される。ＷＷＷサーバは、ＨＴＭＬ言語というハイパーテキスト用の言語で記載されたＷＷＷ文書（以下、ＨＴＭＬファイルという）を保存し、ＷＷＷクライアント（ＷＷＷブラウザ）は、ＷＷＷサーバよりＨＴＭＬファイルを受信して、ハイパーテキストで記載された情報を表示する。
【０００４】
ここで、ハイパーテキストとは、同一文書内に、他の文書を参照する情報を埋め込むことで、１つの文書から他の文書を動的に参照することのできるテキスト形式をいう。
【０００５】
また、１つのＨＴＭＬ言語では、参照するリンク先のファイル（文書）として、種々のメディア（音声、画像、動画など）のファイルを指定することができ、それにより、いわゆるマルチメディア通信が可能となる。
【０００６】
また、このようにして、ＷＷＷによるマルチメディア通信が可能になったことから、最近ではインターネットを利用するユーザ数が増大し、また、インターネット全体として蓄積しているＨＴＭＬファイルの数も膨大な数となっている。
【０００７】
ところで、現在広く普及しており、公衆網を伝送路として用いるファクシミリ装置は、公衆網を用いてファクシミリ通信機能を利用して画情報をやりとりする機能のみ備えているため、上述したＨＴＭＬファイルをアクセスすることができない。
【０００８】
そこで、公衆網に接続されているファクシミリ装置が、インターネット上のＷＷＷ文書を読み出すことができるように、かかるファクシミリ装置とＷＷＷサーバとの間で通信を仲介するインターネットファクシミリ装置の実用が考えられている。
【０００９】
【発明が解決しようとする課題】
ところが、上述したように、ＨＴＭＬ文書には、他の文書へのリンク情報が埋め込まれることがあるので、このリンク情報を適切に取り扱う必要がある。
【００１０】
本発明は、かかる実情に鑑みてなされたものであり、公衆網に接続されているファクシミリ装置から、インターネット上のＷＷＷを読み出す際の不都合を解消することのできる通信システム、および、インターネットファクシミリ装置を提供することを目的としている。
【００１１】
【課題を解決するための手段】
本発明は、ローカルエリアネットワークまたはインターネットを介し、ローカルエリアネットワークまたはインターネットに接続されているＷＷＷサーバとの間でデータのやりとりを行う機能および公衆網を介してファクシミリ装置との間でファクシミリ伝送手順によるファクシミリデータのやりとりを行う機能を備えたインターネットファクシミリ装置と、公衆網を伝送路として用いるファクシミリ装置からなる通信システムにおいて、上記ファクシミリ装置は、インターネットファクシミリ装置に対して、指定されたＵＲＬを通知し、上記インターネットファクシミリ装置は、公衆網を介して上記ファクシミリ装置よりＵＲＬが通知されると、ローカルエリアネットワークまたはインターネットを介し、ＷＷＷサーバに対して、上記通知されたＵＲＬのファイルを要求し、そのＵＲＬのファイルを受信すると、その受信ファイルの表示画像を形成して、その表示画像を第１のファクシミリ画情報に変換するとともに、その受信ファイルに含まれているリンク情報の一覧表示情報を形成して、その一覧表示情報を第２のファクシミリ画情報に変換し、ＵＲＬの送信元の上記ファクシミリ装置に対し、公衆網を介して上記第１および第２のファクシミリ画情報を送信し、上記ファクシミリ装置は、上記インターネットファクシミリ装置より上記第１および第２のファクシミリ画情報を受信すると、それらの第１および第２のファクシミリ画情報の画像を記録出力するようにしたものである。
【００１２】
また、ローカルエリアネットワークまたはインターネットを介し、ローカルエリアネットワークまたはインターネットに接続されているＷＷＷサーバとの間でデータのやりとりを行う機能および公衆網を介してファクシミリ装置との間でファクシミリ伝送手順によるファクシミリデータのやりとりを行う機能を備えたインターネットファクシミリ装置と、公衆網を伝送路として用いるファクシミリ装置からなる通信システムにおいて、上記ファクシミリ装置は、インターネット上のＵＲＬを指定するための複数のワンタッチキーと、受信した画情報に対応した画像データに含まれている図形文字を認識する光学的文字読取手段を備え、上記ファクシミリ装置は、上記インターネットファクシミリ装置に対して、指定されたＵＲＬを通知し、上記インターネットファクシミリ装置は、公衆網を介して上記ファクシミリ装置よりＵＲＬが通知されると、ローカルエリアネットワークまたはインターネットを介し、ＷＷＷサーバに対して上記通知されたＵＲＬのファイルを要求し、そのＵＲＬのファイルを受信すると、その受信ファイルの表示画像を形成して、その表示画像を第１のファクシミリ画情報に変換するとともに、その受信ファイルに含まれているリンク情報とそのリンク情報に割り当てる上記ワンタッチキーの種別をあらわす一覧表示情報を形成して、その一覧表示情報を第２のファクシミリ画情報に変換し、ＵＲＬの送信元の上記ファクシミリ装置に対し、公衆網を介して上記第１および第２のファクシミリ画情報を送信し、上記ファクシミリ装置は、上記インターネットファクシミリ装置より上記第１および第２のファクシミリ画情報を受信すると、それらの第１および第２のファクシミリ画情報の画像を記録出力するとともに、受信した上記第２のファクシミリ画情報の画像データを上記光学的文字読取手段によって処理してその画像データに含まれている図形文字を認識し、その図形文字の認識結果に基づいて上記一覧表示情報を形成し、その形成した一覧表示情報に基づいて上記複数のワンタッチキーに対するＵＲＬの割当を行うようにしたものである。
【００１３】
また、ローカルエリアネットワークまたはインターネットを介し、ローカルエリアネットワークまたはインターネットに接続されているＷＷＷサーバとの間でデータのやりとりを行う機能および公衆網を介してファクシミリ装置との間でファクシミリ伝送手順によるファクシミリデータのやりとりを行う機能を備えたインターネットファクシミリ装置と、公衆網を伝送路として用いるファクシミリ装置からなる通信システムにおいて、上記ファクシミリ装置は、インターネット上のＵＲＬを指定するための複数のワンタッチキーと、受信した画情報に対応した画像データに含まれている図形文字を認識する光学的文字読取手段を備え、上記ファクシミリ装置は、上記インターネットファクシミリ装置に対して、指定されたＵＲＬを通知し、上記インターネットファクシミリ装置は、公衆網を介して上記ファクシミリ装置よりＵＲＬが通知されると、ローカルエリアネットワークまたはインターネットを介し、ＷＷＷサーバに対して上記通知されたＵＲＬのファイルを要求し、そのＵＲＬのファイルを受信すると、その受信ファイルの表示画像を形成して、その表示画像をファクシミリ画情報に変換するとともに、その受信ファイルに含まれているリンク情報とそのリンク情報に割り当てる上記ワンタッチキーの種別をあらわす一覧表示情報を形成し、ＵＲＬの送信元の上記ファクシミリ装置に対し、公衆網を介して上記ファクシミリ画情報を送信するとともに、上記一覧表示情報をテキストモードで送信し、上記ファクシミリ装置は、上記インターネットファクシミリ装置より上記ファクシミリ画情報および一覧表示情報を受信すると、そのファクシミリ画情報の画像および一覧表示情報の表示画像を記録出力するとともに、受信した一覧表示情報に基づいて上記複数のワンタッチキーに対するＵＲＬの割当を行うようにしたものである。
また、ローカルエリアネットワークまたはインターネットを介し、ローカルエリアネットワークまたはインターネットに接続されているＷＷＷサーバとの間でデータのやりとりを行う機能および公衆網を介してファクシミリ装置との間でファクシミリ伝送手順によるファクシミリデータのやりとりを行う機能を備えたインターネットファクシミリ装置において、公衆網を介していずれかのファクシミリ装置よりＵＲＬが通知されると、ローカルエリアネットワークまたはインターネットを介し、ＷＷＷサーバに対して、上記通知されたＵＲＬのファイルを要求し、そのＵＲＬのファイルを受信すると、その受信ファイルの表示画像を形成して、その表示画像を第１のファクシミリ画情報に変換するとともに、その受信ファイルに含まれているリンク情報の一覧表示情報を形成して、その一覧表示情報を第２のファクシミリ画情報に変換し、ＵＲＬの送信元の上記ファクシミリ装置に対し、公衆網を介して上記第１および第２のファクシミリ画情報を送信する通信制御手段を備えたものである。
【００１４】
【発明の実施の形態】
以下、添付図面を参照しながら、本発明の実施の形態を詳細に説明する。
【００１５】
図１は、本発明の一実施例にかかる通信システムの概要を示している。
【００１６】
この通信システムは、公衆網ＰＳＴＮに接続されているグループ３ファクシミリ装置ＦＸｔ、公衆網ＰＳＴＮとインターネットＩＮＥＴの双方に接続されているインターネットファクシミリ装置ＦＸｉからなり、インターネットＩＮＥＴには、ＷＷＷサーバ装置ＷＳが接続されている。
【００１７】
また、インターネットファクシミリ装置ＦＸｉは、公衆網ＰＳＴＮを介してグループ３ファクシミリ装置ＦＸｔに接続し、所定のグループ３ファクシミリ伝送手順処理に従ってグループ３ファクシミリ装置ＦＸｔとの間でファクシミリ伝送を行う通信機能と、インターネットＩＮＥＴを介してＷＷＷサーバ装置ＷＳとの間で所定のプロトコルを実行し、ＨＴＭＬ文書を受信する通信機能を備えている。
【００１８】
ここで、インターネットファクシミリ装置ＦＸｉおよびＷＷＷサーバ装置ＷＳのインターネットＩＮＥＴへの接続形態は、インターネットＩＮＥＴのネットワークサービスプロバイダに対して直接接続する接続形態、あるいは、インターネットファクシミリ装置ＦＸｉおよびＷＷＷサーバ装置ＷＳがローカルエリアネットワークに接続され、このローカルエリアネットワークがインターネットＩＮＥＴのネットワークサービスプロバイダに対して接続されている接続形態のいずれをも適用することができる。
【００１９】
図２は、グループ３ファクシミリ装置ＦＸｔの構成の一例を示している。
【００２０】
同図において、システム制御部１は、このグループ３ファクシミリ装置ＦＸｔの各部の制御処理、および、ファクシミリ伝送制御手順処理を行うものであり、システムメモリ２は、システム制御部１が実行する制御処理プログラム、および、処理プログラムを実行するときに必要な各種データなどを記憶するとともに、制御部１のワークエリアを構成するものであり、パラメータメモリ３は、このグループ３ファクシミリ装置ＦＸｔに固有な各種の情報を記憶するためのものであり、時計回路４は、現在時刻情報を出力するためのものである。
【００２１】
スキャナ５は、所定の解像度で原稿画像を読み取るためのものであり、プロッタ６は、所定の解像度で画像を記録出力するためのものであり、操作表示部７は、このファクシミリ装置を操作するためのもので、各種の操作キー、および、各種の表示器からなる。
【００２２】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００２３】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００２４】
網制御装置１１は、このグループ３ファクシミリ装置ＦＸｔを公衆網ＰＳＴＮに接続するためのものであり、自動発着信機能を備えている。
【００２５】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、および、網制御装置１１は、内部バス１２に接続されており、これらの各要素間でのデータのやりとりは、主としてこの内部バス１２を介して行われている。
【００２６】
また、網制御装置１１とグループ３ファクシミリモデム１０との間のデータのやりとりは、直接行なわれている。
【００２７】
図３は、インターネットファクシミリ装置ＦＸｉの概略構成の一例を示している。
【００２８】
同図において、システム制御部２１は、このインターネットファクシミリ装置ＦＸｉの各部の制御処理、および、ファクシミリ伝送制御手順処理などの各種制御処理を行うものであり、システムメモリ２２は、システム制御部２１が実行する制御処理プログラム、および、処理プログラムを実行するときに必要な各種データなどを記憶するとともに、システム制御部２１のワークエリアを構成するものであり、パラメータメモリ２３は、このファクシミリ装置に固有な各種の情報を記憶するためのものであり、時計回路２４は、現在時刻情報を出力するものである。
【００２９】
スキャナ２５は、所定の解像度で原稿画像を読み取るためのものであり、プロッタ２６は、所定の解像度で画像を記録出力するためのものであり、操作表示部２７は、このファクシミリ装置を操作するためのもので、各種の操作キー、および、各種の表示器からなる。
【００３０】
符号化復号化部２８は、画信号を符号化圧縮するとともに、符号化圧縮されている画情報を元の画信号に復号化するためのものであり、画像蓄積装置２９は、符号化圧縮された状態の画情報を多数記憶するためのものである。
【００３１】
グループ３ファクシミリモデム６０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００３２】
網制御装置３１は、このインターネットファクシミリ装置ＦＸｉを公衆網ＰＳＴＮに接続するためのものであり、自動発着信機能を備えている。
【００３３】
インターネットインターフェース回路３２は、このインターネットファクシミリ装置ＦＸｉをインターネットＩＮＥＴに接続するためのものであり、インターネット伝送制御部３３は、インターネットＩＮＥＴを介して、ＷＷＷサーバ装置ＷＳ等の他のデータ端末装置との間で種々のデータをやりとりするための各種所定のプロトコルスイートの通信制御処理を実行するためのものである。
【００３４】
これらの、システム制御部２１、システムメモリ２２、パラメータメモリ２３、時計回路２４、スキャナ２５、プロッタ２６、操作表示部２７、符号化復号化部２８、画像蓄積装置２９、グループ３ファクシミリモデム６０、網制御装置３１、および、インターネット伝送制御部３３は、内部バス３４に接続されており、これらの各要素間でのデータのやりとりは、主としてこの内部バス３４を介して行われている。
【００３５】
また、網制御装置３１とグループ３ファクシミリモデム６０との間のデータのやりとりは、直接行なわれている。
【００３６】
さて、本実施例において、基本的には、インターネットＩＮＥＴに接続されている端末相互間でのデータのやりとりは、いわゆるＴＣＰ／ＩＰと呼ばれるトランスポートレイヤまでの伝送プロトコルと、それ以上の上位レイヤの通信プロトコルとの組み合わせ（いわゆるプロトコルスイート）が適用して行われる。例えば、ＨＴＭＬ文書のデータのやりとりでは上位レイヤの通信プロトコルとしてＨＴＴＰ（Ｈｙｐｅｒ  Ｔｅｘｔ  Ｔｒａｎｓｆｅｒ  Ｐｒｏｔｏｃｏｌ）という通信プロトコルが適用される。
【００３７】
また、ＴＣＰ／ＩＰ，ＨＴＴＰなどの通信プロトコル、および、ＨＴＭＬ文書のデータ形式やデータ構造などについては、それぞれＩＥＴＦ（Ｉｎｔｅｒｎｅｔ  Ｅｎｇｉｎｅｅｒｉｎｇ  Ｔａｓｋ  Ｆｏｒｃｅ）というインターネットに関する技術内容をまとめている組織から発行されているＲＦＣ（ＲｅｑｕｅｓｔＦｏｒ  Ｃｏｍｍｅｎｔｓ）文書により規定されている。例えば、ＴＣＰはＲＦＣ７９３、ＩＰはＲＦＣ７９３、ＨＴＴＰはＲＦＣ１９４５、ＨＴＭＬ文書はＲＦ１８６７などでそれぞれ規定されている。
【００３８】
さて、ＷＷＷにおけるＨＴＭＬ文書には、特定のＵＲＬ（Ｕｎｉｆｏｒｍ  Ｒｅｓｏｕｒｃｅ  Ｌｏｃａｔｏｒ）が付されて、インターネット上でおのおののＨＴＭＬ文書が識別される。
【００３９】
このＵＲＬの一般的な記述形式を次に示す。
【００４０】
アクセス方法：／／サーバ名称［：ポート番号］／パス名
【００４１】
ここで、「アクセス方法」には、さまざまなプロトコルを指定することができる。「サーバ名称」には、ドメインアドレスで示されるサーバ名称を、また、「パス名」には具体的なファイル名などを指定することができる。また、「ポート番号」は、おのおののプロトコルに対応した標準ポート番号を用いているときには、省略することができる。なお、「ポート番号」とは、ＴＣＰにおいてサービスやコネクションを区別するために用いられる番号である。
【００４２】
例えば、ｗｗｗ．ａａａ．ｃｏ．ｊｐという名称のＷＷＷサーバ上のｉｎｄｅｘ．ｈｔｍｌというパス名のＨＴＭＬファイルのＵＲＬは、次のように記述される。
【００４３】
ｈｔｔｐ：／／ｗｗｗ．ａａａ．ｃｏ．ｊｐ／ｉｎｄｅｘ．ｈｔｍｌ
【００４４】
ここで、「ｈｔｔｐ」は、ＷＷＷサーバとＷＷＷクライアント（ＷＷＷブラウザ）との間でのデータ通信に用いられるプロトコルであるＨＴＴＰをあらわす文字列である。なお、この場合の標準ポート番号は「８０」である。
【００４５】
ところで、上述したように、ＨＴＭＬ文書には、参照する文書、すなわち、リンクする文書の文書名が記述される。その記述方法の一例を次に示す。
【００４６】
＜Ａ  ＨＲＥＦ＝”パス名”＞
【００４７】
ここで、「パス名」は、同一ＷＷＷサーバ装置ＷＳに蓄積している文書のパス名でもよいし、他のＷＷＷサーバ装置ＷＳに蓄積されているＨＴＭＬ文書を示すＵＲＬであってもよい。また、「パス名」は、「ディレクトリ（フォルダー）名／文書名」の形式で記述することができ、また、「ディレクトリ（フォルダー）名」は、複数階層のディレクトリまたはフォルダーを記述することができる。
【００４８】
例えば、同一ディレクトリのｓａｍｐｌｅ１．ｇｉｆという画像文書を参照するときには、次のように記述される。
【００４９】
＜Ａ  ＨＲＥＦ＝”ｓａｍｐｌｅ１．ｇｉｆ”＞
【００５０】
また、現在のＨＴＭＬ文書の１つ下位のディレクトリのｔｅｘｔディレクトリのｓａｍｐｌｅ２．ｔｘｔというテキスト文書を参照するときには、次のように記述される。
【００５１】
＜Ａ  ＨＲＥＦ＝”ｔｅｘｔ／ｓａｍｐｌｅ２．ｔｘｔ”＞
【００５２】
また、ｓａｍｐｌｅ２．ｔｘｔの１つ下位のディレクトリのｄｏｃディレクトリのｓａｍｐｌｅ３．ｈｔｍｌというＨＴＭＬ文書を参照するときには、次のように記述される。
【００５３】
＜Ａ  ＨＲＥＦ＝”ｔｅｘｔ／ｄｏｃ／ｓａｍｐｌｅ３．ｈｔｍｌ”＞
【００５４】
また、他のＷＷＷサーバ装置ＷＳに蓄積されているＨＴＭＬ文書を参照するときには、次のように記述される。
【００５５】
＜Ａ  ＨＲＥＦ＝”ｈｔｔｐ：／／ｗｗｗ．ｂｂｂ．ｃｏ．ｊｐ／ｓａｍｐｌｅ４．ｔｘｔ”＞
【００５６】
ここで、おのおのの文書名には、その文書の属性をあらわす拡張子が付される。上述の例でいえば、ＧＩＦフォーマットの画像データは、＊．ｇｉｆという文書名となり、ｇｉｆという拡張子が付される。同様に、テキストデータの文書名は、＊．ｔｘｔであり、ＪＰＥＧフォーマットの画像データの文書名は、＊．ｊｐｇである。さらに、音声データや動画データにも、それぞれ固有の拡張子が付される。
【００５７】
図４は、インターネットファクシミリ装置ＦＸｉとＷＷＷサーバ装置ＷＳとの間におけるデータ伝送のプロトコルＨＴＴＰの一例を示している。このＨＴＴＰでは、通信単位はリクエストとレスポンスからなり、この通信単位で独立していて、１回毎に接続は切断される。
【００５８】
図４の場合では、インターネットファクシミリ装置ＦＸｉが「／＊＊＊＊＊．ｈｔｍｌ」というパス名のＨＴＭＬ文書を受信要求する場合を示しており、インターネットファクシミリ装置ＦＸｉは、ＷＷＷサーバ装置ＷＳに接続要求した後に、リクエスト「ＧＥＴ  ／＊＊＊＊＊．ｈｔｍｌ」を送出する。
【００５９】
ＷＷＷサーバ装置ＷＳは、リクエスト「ＧＥＴ  ／＊＊＊＊＊．ｈｔｍｌ」を受信すると、対応するパス名のＨＴＭＬ文書を読み出して、インターネットファクシミリ装置ＦＸｉに対して送信し、その後、インターネットファクシミリ装置ＦＸｉに対して切断要求して、一連のデータ伝送が終了する。
【００６０】
以上の構成で、グループ３ファクシミリ装置ＦＸｔがＨＴＭＬ文書を得る場合、まず、グループ３ファクシミリ装置ＦＸｔのユーザは、受信するＨＴＭＬ文書のＵＲＬを指定するとともに、インターネットファクシミリ装置ＦＸｉの電話番号を指定した状態で、ＨＴＭＬ文書の受信を指令する。
【００６１】
これにより、グループ３ファクシミリ装置ＦＸｔは、インターネットファクシミリ装置ＦＸｉへ発呼し、所定のグループ３ファクシミリ伝送手順を実行し、その伝送前手順において、自端末の電話番号と、ＨＴＭＬ文書の受信要求をあらわすとともに、受信するＨＴＭＬ文書のＵＲＬを通知する。自端末の電話番号の通知には、例えば、手順信号ＴＳＩ（送信端末識別子）を適用することができ、また、ＨＴＭＬ文書の受信要求をあらわすとともに、受信するＨＴＭＬ文書のＵＲＬの通知には、例えば、手順信号ＮＳＦ（非標準機能識別子）の情報フィールドを適用することができる。
【００６２】
インターネットファクシミリ装置ＦＸｉは、このようにして、グループ３ファクシミリ装置ＦＸｔよりＨＴＭＬ文書の受信要求が通知されると、ＷＷＷサーバ装置ＷＳに対して接続要求し、指定されたＵＲＬのＨＴＭＬ文書を受信するリクエストを送出する。
【００６３】
これにより、ＷＷＷサーバ装置ＷＳは、要求されたＵＲＬのＨＴＭＬ文書を取り出してインターネットファクシミリ装置ＦＸｉへ送信し、切断要求して、一連のＨＴＭＬ文書の伝送が終了する。
【００６４】
このようにして、ＨＴＭＬ文書を受信したインターネットファクシミリ装置ＦＸｉは、そのＨＴＭＬ文書の表示情報を形成し、その表示情報を符号化復号化部２８で符号化圧縮して、ファクシミリ画情報を形成する。また、受信したＨＴＭＬ文書に含まれるリンク情報を探し出して、その一覧情報（図５参照）を形成し、その一覧情報の表示情報を作成した後に、その表示情報を符号化復号化部２８で符号化圧縮して、ファクシミリ画情報を形成する。このようにして、形成したＨＴＭＬ文書のファクシミリ画情報を１ページ目に配置するとともに、リンク情報の一覧情報の画情報を２ページ目に配置して、グループ３ファクシミリ装置ＦＸｔに送信する送信画情報を形成する。
【００６５】
次いで、インターネットファクシミリ装置ＦＸｉは、網制御装置３１によりグループ３ファクシミリ装置ＦＸｔへ発呼し、所定のファクシミリ伝送手順を実行して、要求されたＨＴＭＬ文書とリンク情報の一覧情報からなる送信画情報をグループ３ファクシミリ装置ＦＸｔへ送信する。
【００６６】
グループ３ファクシミリ装置ＦＸｔでは、受信した画情報を符号化復号化部８でページ単位に順次復号化し、それによって形成された画像データをプロッタ６より記録出力する。
【００６７】
これにより、グループ３ファクシミリ装置ＦＸｔでは、ＨＴＭＬ文書の表示画像が記録された原稿と、このＨＴＭＬ文書に含まれるリンク情報の一覧表示画像が記録された原稿がそれぞれ記録出力される。
【００６８】
ユーザは、記録出力されたＨＴＭＬ文書を確認し、リンク先のＨＴＭＬ文書を必要とするときには、リンク情報の一覧表示を確認して、必要なＨＴＭＬ文書のＵＲＬを得て、そのＵＲＬを受信するＨＴＭＬ文書のＵＲＬとして指定するとともに、インターネットファクシミリ装置ＦＸｉの電話番号を指定した状態で、ＨＴＭＬ文書の受信を再度指令する。
【００６９】
このようにして、グループ３ファクシミリ装置ＦＸｔのユーザは、インターネットＩＮＥＴのＷＷＷサーバ装置ＷＳから所望のＨＴＭＬ文書を受信することができるとともに、そのＨＴＭＬ文書に含まれるリンク情報を視覚的に確認できるので、所望するリンク先のＨＴＭＬ文書を適切に、同様な操作で受信することができる。
【００７０】
図６（ａ），（ｂ）は、公衆網ＰＳＴＮから発呼された際のインターネットファクシミリ装置ＦＸｉの処理例を示している。
【００７１】
インターネットファクシミリ装置ＦＸｉは、着信検出すると、着信応答し（処理１０１）、所定の伝送前手順を実行して使用する伝送機能の設定等を行う（処理１０２）。また、相手端末から通知された電話番号、および、受信要求されたＨＴＭＬ文書のＵＲＬ等は、保存する。
【００７２】
そして、そのときに設定したモデム速度でモデムトレーニング手順を実行して使用するモデム速度を決定し（処理１０３）、所定のファイル（画情報等）受信手順を実行して、相手端末からのファイルを受信する（処理１０４）。ファイル受信を終了すると、所定の伝送後手順を実行し（処理１０５）、回線を復旧して（処理１０６）、受信動作を終了する。
【００７３】
次いで、このときにＨＴＭＬ文書の受信要求がされ、ＵＲＬを受信しているかどうかを調べる（判断１０７）。ＵＲＬを受信していない場合で、判断１０７の結果がＮＯになるときには、そのときに受信した他の情報に従って、受信画情報を処理し（処理１０８）、この動作を終了する。なお、この処理１０８では、例えば、受信画情報を指定された端末へ転送する、あるいは、受信画情報の画像を記録出力する等の処理がある。
【００７４】
また、ＵＲＬを受信している場合には、ＨＴＴＰプロトコルを開始し（処理１０９）、ＷＷＷサーバ装置ＷＳへ接続要求し（処理１１０）、指定されたＵＲＬのＨＴＭＬ文書を受信要求して（処理１１１）、ＷＷＷサーバ装置ＷＳよりそのＨＴＭＬ文書を受信して保存し（処理１１２）、ＨＴＴＰプロトコルを終了して（処理１１３）、指定されたＵＲＬのＨＴＭＬ文書の受信動作を行う。
【００７５】
次いで、受信したＨＴＭＬ文書から、埋め込まれているリンク情報を全て抽出し（処理１１４）、そのＨＴＭＬ文書データについて所定のＨＴＭＬインタプリタ処理を適用して、ＨＴＭＬ文書の表示情報を作成し（処理１１５）、そのＨＴＭＬ表示情報を符号化復号化部２８で符号化圧縮してＨＴＭＬ画情報を形成する（処理１１６）。
【００７６】
次に、抽出したリンク情報の一覧表示情報を作成し（処理１１７）、そのリンク一覧表示情報を符号化復号化部２８で符号化圧縮してリンク一覧画情報を形成する（処理１１８）。
【００７７】
このようにして、送信画情報の作成を終了すると、ＨＴＭＬ文書の要求元の電話番号を得て（処理１１９）、その要求元へ発呼する（処理１２０）。相手端末が着信応答すると、所定の伝送前手順を実行し（処理１２１）、所定のモデムトレーニング手順を実行した後に（処理１２２）、所定の画情報送信手順によりＨＴＭＬ画情報とリンク一覧画情報を送信し（処理１２３）、その画情報を終了すると、所定の伝送終了手順を実行し（処理１２４）、回線を復旧して（処理１２５）、この処理を終了する。
【００７８】
ところで、上述した実施例では、グループ３ファクシミリ装置ＦＸｔは、最初に要求したＨＴＭＬ文書のリンク情報に従って、リンク先のＨＴＭＬ文書を要求する場合、そのＨＴＭＬ文書のＵＲＬを手操作で入力する必要があり、手間がかかる。
【００７９】
このような手間を省くには、例えば、ＵＲＬ入力のためのワンタッチキーを設けて、インターネットファクシミリ装置ＦＸｉより通知されたリンク情報をワンタッチキーに割り当て、ユーザがワンタッチキーを操作するだけでそのリンク情報のＵＲＬを指定できるようにするとよい。
【００８０】
このように、リンク情報のＵＲＬの指定の手間を省くことのできる本発明の他の実施例にかかるグループ３ファクシミリ装置ＦＸｔの構成例を、図７に示す。なお、同図において図２と同一部分および相当する部分には、同一符号を付している。
【００８１】
同図において、システム制御部１は、このグループ３ファクシミリ装置ＦＸｔの各部の制御処理、および、ファクシミリ伝送制御手順処理を行うものであり、システムメモリ２は、システム制御部１が実行する制御処理プログラム、および、処理プログラムを実行するときに必要な各種データなどを記憶するとともに、制御部１のワークエリアを構成するものであり、パラメータメモリ３は、このグループ３ファクシミリ装置ＦＸｔに固有な各種の情報を記憶するためのものであり、時計回路４は、現在時刻情報を出力するためのものである。
【００８２】
スキャナ５は、所定の解像度で原稿画像を読み取るためのものであり、プロッタ６は、所定の解像度で画像を記録出力するためのものであり、操作表示部７は、このファクシミリ装置を操作するためのもので、各種の操作キー、および、各種の表示器からなる。
【００８３】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００８４】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００８５】
網制御装置１１は、このグループ３ファクシミリ装置ＦＸｔを公衆網ＰＳＴＮに接続するためのものであり、自動発着信機能を備えている。
【００８６】
また、光学的文字読取処理部１３は、画像データに含まれている図形文字を光学的に読み取り認識するためのものである。
【００８７】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、網制御装置１１、および、光学的文字読取処理部１３は、内部バス１２に接続されており、これらの各要素間でのデータのやりとりは、主としてこの内部バス１２を介して行われている。
【００８８】
また、網制御装置１１とグループ３ファクシミリモデム１０との間のデータのやりとりは、直接行なわれている。
【００８９】
図８は、操作表示部７の一例を示している。
【００９０】
同図において、スタートキー７ａは、送受信動作等の開始を指令操作するためのものであり、ストップキー７ｂは、実行中の動作の停止を指令操作するためのものであり、テンキー７ｃは、電話番号等の数値情報を操作入力するためのものであり、キャンセルキー７ｄは、テンキー７ｃより入力した数値を取り消すためのものである。
【００９１】
ファンクションキー７ｅは、ＵＲＬの選択操作やワンタッチダイアル等の種々の機能を実現するためのものであり、ＵＲＬキー７ｆは、ファンクションキー７ｅの機能を、ＵＲＬの選択モードに設定するためのものであり、ランプ７ｇは、ＵＲＬの選択モードになっている場合に点灯表示するものである。また、ＵＲＬの選択モードは、ＵＲＬキー７ｇをオン操作する度に有効／無効が切り換わり変化する。
【００９２】
液晶表示器７ｈは、種々の情報を表示するためのものであり、カーソルキー７ｉは、液晶表示器７ｈに表示されたカーソルを移動するためのものであり、ＹＥＳキー７ｊは、液晶表示器７ｈに表示されたガイダンスメッセージに対して、肯定的な応答を操作入力するためのものであり、ＮＯキー７ｋは、液晶表示器７ｈに表示されたガイダンスメッセージに対して、否定的な応答を操作入力するためのものである。
【００９３】
この場合において、公衆網ＰＳＴＮから発呼された際のインターネットファクシミリ装置ＦＸｉの処理例を図９（ａ），（ｂ）に示す。
【００９４】
インターネットファクシミリ装置ＦＸｉは、着信検出すると、着信応答し（処理２０１）、所定の伝送前手順を実行して使用する伝送機能の設定等を行う（処理２０２）。また、相手端末から通知された電話番号、および、受信要求されたＨＴＭＬ文書のＵＲＬ等は、保存する。
【００９５】
そして、そのときに設定したモデム速度でモデムトレーニング手順を実行して使用するモデム速度を決定し（処理２０３）、所定のファイル（画情報等）受信手順を実行して、相手端末からのファイルを受信する（処理２０４）。ファイル受信を終了すると、所定の伝送後手順を実行し（処理２０５）、回線を復旧して（処理２０６）、受信動作を終了する。
【００９６】
次いで、このときにＨＴＭＬ文書の受信要求がされ、ＵＲＬを受信しているかどうかを調べる（判断２０７）。ＵＲＬを受信していない場合で、判断２０７の結果がＮＯになるときには、そのときに受信した他の情報に従って、受信画情報を処理し（処理２０８）、この動作を終了する。なお、この処理２０８では、例えば、受信画情報を指定された端末へ転送する、あるいは、受信画情報の画像を記録出力する等の処理がある。
【００９７】
また、ＵＲＬを受信している場合には、ＨＴＴＰプロトコルを開始し（処理２０９）、ＷＷＷサーバ装置ＷＳへ接続要求し（処理２１０）、指定されたＵＲＬのＨＴＭＬ文書を受信要求して（処理２１１）、ＷＷＷサーバ装置ＷＳよりそのＨＴＭＬ文書を受信して保存し（処理２１２）、ＨＴＴＰプロトコルを終了して（処理２１３）、指定されたＵＲＬのＨＴＭＬ文書の受信動作を行う。
【００９８】
次いで、受信したＨＴＭＬ文書から、埋め込まれているリンク情報を全て抽出し（処理２１４）、そのＨＴＭＬ文書データについて所定のＨＴＭＬインタプリタ処理を適用して、ＨＴＭＬ文書の表示情報を作成し（処理２１５）、そのＨＴＭＬ表示情報を符号化復号化部２８で符号化圧縮してＨＴＭＬ画情報を形成する（処理２１６）。
【００９９】
次に、抽出したリンク情報について、おのおののリンク情報に対するファンクションキー７ｅの割り当ての一覧をあらわすリンクＦキー割当一覧表示情報（図１１参照）を作成し（処理２１７）、そのリンクＦキー割当一覧表示情報を符号化復号化部２８で符号化圧縮してリンクＦキー割当一覧画情報を形成する（処理２１８）。
【０１００】
このようにして、送信画情報の作成を終了すると、ＨＴＭＬ文書の要求元の電話番号を得て（処理２１９）、その要求元へ発呼する（処理２２０）。相手端末が着信応答すると、所定の伝送前手順を実行し（処理２２１）、所定のモデムトレーニング手順を実行した後に（処理２２２）、所定の画情報送信手順によりＨＴＭＬ画情報とリンク一覧画情報を送信し（処理２２３）、その画情報を終了すると、所定の伝送終了手順を実行し（処理２２４）、回線を復旧して（処理２２５）、この処理を終了する。
【０１０１】
図１１（ａ）、（ｂ）は、この場合に、グループ３ファクシミリ装置ＦＸｔが着信時に実行する処理の一例を示している。
【０１０２】
グループ３ファクシミリ装置ＦＸｔは、着信検出すると、着信応答し（処理３０１）、所定の伝送前手順を実行し（処理３０２）、所定のモデムトレーニング手順を実行した（処理３０３）後に、画情報受信手順を実行して（処理３０４）、画情報を受信して画像蓄積装置９に保存する。画情報受信を終了すると、所定の伝送後手順を実行し（処理３０５）、回線を復旧する（処理３０６）。
【０１０３】
次に、画像蓄積装置９に保存した画情報ファイルから処理ページを選択し（処理３０７）、そのページの画情報を符号化復号化部８で元の画像データに復号化し（処理３０８）、それによって得た画像データをプロッタ６に転送して、そのページの受信画像を記録出力する（処理３０９）。
【０１０４】
そして、そのときの処理ページが最終ページであるかどうかを調べ（判断３１０）、判断３１０の結果がＮＯになるときには、後続ページの画像を記録出力するために処理３０７に戻る。
【０１０５】
また、判断３１０の結果がＹＥＳになるときには、最終ページの画像データ、すなわち、リンクＦキー割当一覧表示情報について、光学的文字読取処理部１３による処理を実行し、リンクＦキー割当一覧表示情報を構成する文字コード情報を得る（処理３１１）。
【０１０６】
そして、その文字コード情報に基づいて、ファンクションキー７ｅへのリンク情報の割り当ての内容を認識し（処理３１２）、その認識して得たリンク情報とファンクションキー７ｅの関係を保存する（処理３１３）。
【０１０７】
図１２および図１３は、グループ３ファクシミリ装置ＦＸｔのファンクションキー７ｅとＵＲＬキー７ｆに関する処理例を示している。なお、以下の説明で、ＵＲＬモードとは、ファンクションキー７ｅを操作するとＵＲＬが選択されるファンクションキー７ｅの動作モードであり、非ＵＲＬモードとは、ファンクションキー７ｅのそれ以外の動作モードである。
【０１０８】
グループ３ファクシミリ装置ＦＸｔでは、ＵＲＬキー７ｆがオンされるか、あるいは、ファンクションキー７ｅがオンされることを監視しており（判断４０１，４０２のＮＯループ）、ＵＲＬキー７ｆがオンされた場合で、判断４０１の結果がＹＥＳになるときには、ＵＲＬモードになっていることを記憶するためのフラグＦｕｒｌがセットされているかどうかを調べる（判断４０３）。
【０１０９】
フラグＦｕｒｌがセットされていない場合で、判断４０３の結果がＮＯになるときには、非ＵＲＬモードからＵＲＬモードに移行する場合であるので、フラグＦｕｒｌをセットして（処理４０４）、この処理を終了する。
【０１１０】
また、判断４０３の結果がＹＥＳになるときには、ＵＲＬモードから非ＵＲＬモードに移行する場合であるので、フラグＦｕｒｌをリセットして（処理４０５）、ファンクションキー７ｅのモードを元の状態に復帰して（処理４０６）、この処理を終了する。
【０１１１】
また、ファンクションキー７ｅが操作された場合で、判断４０２の結果がＹＥＳになるときには、フラグＦｕｒｌがセットされているかどうかを調べる（判断４０７）。
【０１１２】
判断４０７の結果がＮＯになるときには、非ＵＲＬモードであるから、そのときに操作されたファンクションキー７ｅの内容に従った処理を実行して（処理４０８）、この処理を終了する。
【０１１３】
また、判断４０７の結果がＹＥＳになるときには、ＵＲＬモードであるから、そのときに操作されたファンクションキー７ｅに割り当てられているリンク情報のＵＲＬを読み出して（処理４０９）、その内容を表示し（処理４１０）、表示したＵＲＬを採用するか否かを問い合わせる確認ガイダンスメッセージを表示する（処理４１１）。
【０１１４】
ユーザがこの確認ガイダンスメッセージに対して、ＹＥＳキー７ｊを操作して肯定的な応答を操作入力するか、あるいは、ＮＯキー７ｋを操作して否定的な応答を操作入力するまで待ち（判断４１２，４１３のＮＯループ）、ＮＯキー７ｋを操作して否定的な応答を操作入力した場合で、判断４１３の結果がＹＥＳになるときには、表示内容をクリアして（処理４１４）、この処理を終了する。
【０１１５】
また、ＹＥＳキー７ｊを操作して肯定的な応答を操作入力した場合で、判断４１２の結果がＹＥＳになるときには、インターネットファクシミリ装置ＦＸｉの宛先番号を入力要求するガイダンスメッセージを表示し（処理４１５）、それに応答してユーザが宛先を操作入力するための宛先操作入力処理を、スタートキー７ａが操作されるまで実行する（処理４１６、判断４１７のＮＯループ）。
【０１１６】
スタートキー７ａがオンされて、判断４１７の結果がＹＥＳになるときには、指定された宛先のインターネットファクシミリ装置ＦＸｉへ発呼して、指定されたリンク情報のＵＲＬのＨＴＭＬ文書を受信要求するためのリンク情報送信処理を実行して（処理４１８）、この処理を終了する。
【０１１７】
ところで、上述した実施例では、インターネットファクシミリ装置ＦＸｉからグループ３ファクシミリ装置ＦＸｔにリンクＦキー割当一覧表示情報の画像データを送信し、グループ３ファクシミリ装置ＦＸｔで、その画像データを光学的文字読取処理してリンクＦキー割当一覧表示情報の文字コード情報を形成するようにしているが、この光学的文字読取処理でエラーを生じると、その部分のリンク情報が正確に再現されないという事態を生じる。
【０１１８】
かかる不具合を解消するためには、インターネットファクシミリ装置ＦＸｉからグループ３ファクシミリ装置ＦＸｔにリンクＦキー割当一覧表示情報の文字コード情報を直接送信するとよい。この文字コード情報の送信には、グループ３ファクシミリ伝送手順におけるキャラクタモードの伝送モードを使用することができる。
【０１１９】
この場合において、公衆網ＰＳＴＮから発呼された際のインターネットファクシミリ装置ＦＸｉの処理例を図１４（ａ），（ｂ）および図１５に示す。
【０１２０】
インターネットファクシミリ装置ＦＸｉは、着信検出すると、着信応答し（処理５０１）、所定の伝送前手順を実行して使用する伝送機能の設定等を行う（処理５０２）。また、相手端末から通知された電話番号、および、受信要求されたＨＴＭＬ文書のＵＲＬ等は、保存する。
【０１２１】
そして、そのときに設定したモデム速度でモデムトレーニング手順を実行して使用するモデム速度を決定し（処理５０３）、所定のファイル（画情報等）受信手順を実行して、相手端末からのファイルを受信する（処理５０４）。ファイル受信を終了すると、所定の伝送後手順を実行し（処理５０５）、回線を復旧して（処理５０６）、受信動作を終了する。
【０１２２】
次いで、このときにＨＴＭＬ文書の受信要求がされ、ＵＲＬを受信しているかどうかを調べる（判断５０７）。ＵＲＬを受信していない場合で、判断５０７の結果がＮＯになるときには、そのときに受信した他の情報に従って、受信画情報を処理し（処理５０８）、この動作を終了する。なお、この処理５０８では、例えば、受信画情報を指定された端末へ転送する、あるいは、受信画情報の画像を記録出力する等の処理がある。
【０１２３】
また、ＵＲＬを受信している場合には、ＨＴＴＰプロトコルを開始し（処理５０９）、ＷＷＷサーバ装置ＷＳへ接続要求し（処理５１０）、指定されたＵＲＬのＨＴＭＬ文書を受信要求して（処理５１１）、ＷＷＷサーバ装置ＷＳよりそのＨＴＭＬ文書を受信して保存し（処理５１３）、ＨＴＴＰプロトコルを終了して（処理５１４）、指定されたＵＲＬのＨＴＭＬ文書の受信動作を行う。
【０１２４】
次いで、受信したＨＴＭＬ文書から、埋め込まれているリンク情報を全て抽出し（処理５１５）、そのＨＴＭＬ文書データについて所定のＨＴＭＬインタプリタ処理を適用して、ＨＴＭＬ文書の表示情報を作成し（処理５１６）、そのＨＴＭＬ表示情報を符号化復号化部２８で符号化圧縮してＨＴＭＬ画情報を形成する（処理５１７）。
【０１２５】
次に、抽出したリンク情報について、おのおののリンク情報に対するファンクションキー７ｅの割り当てをあらわすリンクＦキー割当情報（文字コード情報）を作成する（処理５１８）。
【０１２６】
このようにして、送信画情報およびリンクＦキー割当情報の作成を終了すると、ＨＴＭＬ文書の要求元の電話番号を得て（処理５１９）、その要求元へ発呼する（処理５２０）。
【０１２７】
相手端末が着信応答すると、所定の伝送前手順を実行し（処理５２１）、所定のモデムトレーニング手順を実行した後に（処理５２２）、所定の画情報送信手順によりＨＴＭＬ画情報を送信する（処理５２３）。
【０１２８】
この画情報送信を終了すると、伝送モードをキャラクタモードへ変更する所定のモード変更手順を実行し（処理５２４）、所定のモデムトレーニング手順を実行した後に（処理５２５）、所定のキャラクタモードの伝送手順によりリンクＦキー割当情報を送信する（処理５２６）。
【０１２９】
この送信処理を終了すると、所定の伝送終了手順を実行し（処理５２７）、回線を復旧して（処理５２８）、この処理を終了する。
【０１３０】
図１６は、この場合にグループ３ファクシミリ装置ＦＸｔが着信時に実行する処理の一例を示している。
【０１３１】
グループ３ファクシミリ装置ＦＸｔは、着信検出すると、着信応答し（処理６０１）、所定の伝送前手順を実行し（処理６０２）、所定のモデムトレーニング手順を実行した（処理６０３）後に、画情報受信手順を実行して（処理６０４）、画情報を受信して画像蓄積装置９に保存する。画情報受信を終了すると、所定の伝送後手順を実行し（処理６０５）、この伝送後手順において、伝送モードの変更がされたかどうかを調べる（判断６０６）。
【０１３２】
伝送モードが変更された場合で、判断６０６の結果がＹＥＳになるときには、所定のモデムトレーニング手順を実行した（処理６０７）後に、キャラクタモードの伝送手順を実行して（処理６０８）、リンクＦキー割当情報を受信して保存する。画情報受信を終了すると、所定の伝送後手順を実行し（処理６０９）、回線を復旧する（処理６１０）。
【０１３３】
また、判断６０６の結果がＮＯになるときには、後続ページがあることが通知されたかどうかを調べ（判断６１１）、判断６１１の結果がＹＥＳになるときには、処理６０４に戻り、次のページの画情報を受信する。
【０１３４】
また、グループ３ファクシミリ装置ＦＸｔは、受信した画情報を記録出力するとともに、受信したキャラクタデータ（リンクＦキー割当情報）の表示情報を形成して、その画像を記録出力する。
【０１３５】
なお、上述した実施例においては、公衆網に接続されるファクシミリ装置としてグループ３ファクシミリ装置を適用した場合について説明したが、公衆網をＩＳＤＮに置き換えて、グループ４ファクシミリ装置を適用することもできる。
【０１３６】
また、上述した実施例では、ＨＴＭＬ文書の内容が表示できるようなタイプの情報である場合について説明しているが、リンク先のＨＴＭＬ文書の内容がそれ以外のタイプの情報、例えば、音声データ、動画データなどの場合には、例えば、インターネットファクシミリ装置側で「データタイプが不一致のために受信できない」旨をあらわすエラーレポートを作成して、ＨＴＭＬ文書の要求元へ通知するようにしてもよい。なお、音声データについては、いわゆるボイスメール機能を用いれば要求元へ送信することもできる。
【０１３７】
【発明の効果】
以上説明したように、本発明によれば、ＨＴＭＬ文書のリンク情報の一覧表示情報を、ＨＴＭＬ文書の要求元のファクシミリ装置に対して送信するので、ファクシミリ装置のユーザは、受信したＨＴＭＬ文書に含まれているリンク情報の内容を確実に知ることができ、リンク情報を適宜に取り寄せることができるので、非常に便利になるという効果を得る。
【０１３８】
また、ファクシミリ装置側で、受信したリンクＦキー（ワンタッチキー）一覧表示情報を文字認識し、その結果に得られたリンク情報を指定されたファンクションキー（ワンタッチキー）へ割り当てるので、ファクシミリ装置のユーザは、ファンクションキー（ワンタッチキー）を操作するのみでリンク情報のＵＲＬを入力でき、非常に便利であるという効果を得る。また、操作時の誤入力も防止できるという効果を得る。
【０１３９】
また、インターネットファクシミリ装置が、リンクＦキー割当情報を文字コード情報の状態でファクシミリ装置に送信するので、文字認識時の誤認識の影響を受けず、信頼性の高い通信が可能となるという効果も得る。
【図面の簡単な説明】
【図１】本発明の一実施例にかかる通信システムの概要を示したブロック図。
【図２】グループ３ファクシミリ装置ＦＸｔの構成の一例を示したブロック図。
【図３】インターネットファクシミリ装置ＦＸｉの概略構成の一例を示したブロック図。
【図４】インターネットファクシミリ装置ＦＸｉとＷＷＷサーバ装置ＷＳとの間におけるデータ伝送のプロトコルＨＴＴＰの一例を示している。
【図５】リンク情報の一覧情報の一例を示した概略図。
【図６】公衆網ＰＳＴＮから発呼された際のインターネットファクシミリ装置ＦＸｉの処理例を示したフローチャート。
【図７】本発明の他の実施例にかかるグループ３ファクシミリ装置ＦＸｔの構成例を示したブロック図。
【図８】図７のグループ３ファクシミリ装置ＦＸｔの操作表示部７の一例を示した概略構成図。
【図９】公衆網ＰＳＴＮから発呼された際のインターネットファクシミリ装置ＦＸｉの他の処理例を示したフローチャート。
【図１０】リンクＦキー割当一覧表示情報の一例を示した概略図。
【図１１】グループ３ファクシミリ装置ＦＸｔが着信時に実行する処理の他の例を示したフローチャート。
【図１２】グループ３ファクシミリ装置ＦＸｔのファンクションキー７ｅとＵＲＬキー７ｆに関する処理例の一部を示したフローチャート。
【図１３】グループ３ファクシミリ装置ＦＸｔのファンクションキー７ｅとＵＲＬキー７ｆに関する処理例の他の部分を示したフローチャート。
【図１４】グループ３ファクシミリ装置ＦＸｔのファンクションキー７ｅとＵＲＬキー７ｆに関する処理例の残りの部分を示したフローチャート。
【図１５】公衆網ＰＳＴＮから発呼された際のインターネットファクシミリ装置ＦＸｉのさらに他の処理例を示したフローチャート。
【図１６】グループ３ファクシミリ装置ＦＸｔが着信時に実行する処理の別の例を示したフローチャート。
【符号の説明】
ＦＸｔ  グループ３ファクシミリ装置
ＦＸｉ  インターネットファクシミリ装置
ＷＳ  ＷＷＷサーバ装置
ＰＳＴＮ  公衆網
ＩＮＥＴ  インターネット
７ｅ  ファンクションキー
７ｆ  ＵＲＬキー
【図１】
0003585685.tif 000002
【図２】
0003585685.tif 000003
【図３】
0003585685.tif 000004
【図４】
0003585685.tif 000005
【図５】
0003585685.tif 000006
【図６】
0003585685.tif 000007
【図７】
0003585685.tif 000008
【図８】
0003585685.tif 000009
【図９】
0003585685.tif 000010
【図１０】
0003585685.tif 000011
【図１１】
0003585685.tif 000012
【図１２】
0003585685.tif 000013
【図１３】
0003585685.tif 000014
【図１４】
0003585685.tif 000015
【図１５】
0003585685.tif 000016
【図１６】
0003585685.tif 000017